(57)【要約】【課題】簡単な構成で投射方向を変更することができるプロジェクタの提供。【解決手段】箱体１０に画像を投射する投射レンズ２が設けられている。箱体１０にはカバー３が設けられている。カバー３は、投射レンズ２を遮蔽する遮蔽位置及び露出する露出位置の間を移動可能に構成されている。カバー３には、カバー３が遮蔽位置にある場合に、投射レンズ２と対向する開口３１が設けられている。開口３１には、箱体１０の内外方向に回動する蓋３２が配されている。蓋３２は、投射レンズ２と対向する面に反射鏡を有し、開口３１の位置から箱体１０の内外方向に回動する。反射鏡が投射レンズ２から投射された画像を反射することによって投射方向が変更される。【選択図】図４
2012037674.tif 000002
【特許請求の範囲】
【請求項１】
画像を投射するために箱体に設けられた投射レンズと、該投射レンズを遮蔽する遮蔽位置及び露出させる露出位置の間を移動可能なカバーとを備えるプロジェクタにおいて、
前記カバーは、
前記遮蔽位置にある場合に前記投射レンズに対向する開口と、
該開口に前記箱体の内外方向への回動を可能に配され、投射された画像を反射する反射鏡と
を有すること
を特徴とするプロジェクタ。
【請求項２】
前記カバーは、更に、
前記開口の周縁間に渡され、前記反射鏡を枢支する回動軸
を有すること
を特徴とする請求項１に記載のプロジェクタ。
【請求項３】
前記カバーは、前記回動軸を複数有し、
前記反射鏡は、複数の前記回動軸夫々に着脱可能及び回動可能に取付けられる複数の取付部を有すること
を特徴とする請求項２に記載のプロジェクタ。
【請求項４】
前記取付部は、
前記反射鏡の周縁部に突設され、前記反射鏡を支持する支持柱部と、
円環の周方向の一部を切除した形状をなし、前記円環の軸方向が前記反射鏡と平行をなすように前記支持柱部の先端に設けられ、前記回動軸に嵌合する嵌合部と
を有すること
を特徴とする請求項３に記載のプロジェクタ。
【請求項５】
前記嵌合部の内周面に設けられた少なくとも１つの突起と、
前記回動軸における前記嵌合部が嵌合する周面に周設され、前記突起と係合する複数の凹部と
を有すること
を特徴とする請求項４に記載のプロジェクタ。
【請求項６】
前記開口及び反射鏡は矩形状をなし、
前記カバーは前記回動軸を２つ有し、
前記回動軸は、共に前記開口の短手方向又は長手方向に渡されていること
を特徴とする請求項２から請求項５のいずれか１つに記載のプロジェクタ。
【請求項７】
前記開口が開放されているか否かを検出する検出部と、
該検出部が開放されていると検出した場合に、前記投射レンズから投射される画像を鏡像反転する反転部と
を備えることを特徴とする請求項１から請求項６のいずれか１つに記載のプロジェクタ。
【請求項８】
前記反射鏡によって反射され、台形状に歪んだ画像を補正する操作を受け付ける受付部と、
前記受付部が受け付けた操作を記憶する記憶部と、
前記開口が開放されているか否かを検出する検出部と、
前記検出部が開放されていると検出した場合に前記記憶部が記憶している操作を再現する再現部と
を備えることを特徴とする請求項１から請求項６のいずれか１つに記載のプロジェクタ。
【発明の詳細な説明】
【技術分野】
【０００１】
本発明は画像を投射するプロジェクタに関する。
【背景技術】
【０００２】
会議室又は展覧会場等で画像をスクリーンに表示し、プレゼンテーションを行う場合にプロジェクタ（例えば、特許文献１）が利用されている。
【０００３】
プロジェクタは直方体状の箱体を備え、箱体の内部には、光源と表示デバイスとが収納されている。また、箱体の一面に内外を貫通するように投射レンズが設けられている。光源は、画像をスクリーンに投射するために光を表示デバイスに出射する。表示デバイスは、表面に画像を形成し、光源からの光を透過させる。表示デバイスを透過した光は、投射レンズを通じて外部に投射される。
【０００４】
また、プロジェクタは投射レンズを保護するカバーを更に備えている。カバーとして、箱体の外側に移動可能に取り付けたカバーがある。このカバーは投射レンズを遮蔽する遮蔽位置及び露出させる露出位置との間を移動する。
【０００５】
プロジェクタは、一般に、投射レンズの光軸がスクリーンと垂直をなすように配置され、投射レンズから投射された画像はスクリーンに表示される。このため、プロジェクタが使用される場合に、プロジェクタのスクリーンに対する配置が制限される。
【０００６】
プロジェクタの使用時の配置が制限された場合、プロジェクタから排気される熱風が問題となる。
箱体の内部に送風機が更に収納されている。また、吸気口及び排気口が箱体に設けられている。送風機は、吸気口から外部の空気を吸気し、光源を空冷し、光源によって熱せられた空気を排気口から排気する。一般に、排気口は、投射レンズが設けられた一面と異なる一面に設けられる事が多い。
【０００７】
視聴者は、投射レンズが設けられた一面の近傍を除くプロジェクタ周辺におり、排気口の近傍にいる可能性がある。排気口の近傍に視聴者がいる場合、排気口からの熱風が視聴者に当たり、視聴者を不快にさせる虞がある。
【０００８】
そこで、画像を投射する方向を、投射レンズの光軸方向ではなく、他の方向に変更することによって、画像の投射方向と熱風の排気方向とを一致させることができ、視聴者に熱風を当てないようにすることができる。
画像の投射方向を種々の方向に変更することができるプロジェクタが特許文献２に開示されている。
【０００９】
特許文献２に記載のプロジェクタは、光源、表示デバイス、及び投射レンズの他に、枠体と反射鏡とを備えている。枠体は、円筒の両端面に連通する円形の開口が設けられた形状をなす。投射レンズは開口に嵌め込まれて、枠体によって支持されている。反射鏡は、枠体の一端面に固定され、投射レンズから投射された光を反射する。このプロジェクタが例えば床に配置された場合、投射レンズの光軸は床に垂直をなす。
【００１０】
反射鏡は投射レンズから投射された光を投射レンズの光軸に対して垂直をなす方向に反射する。枠体は投射レンズの光軸回りに回動可能に構成されている。このため、反射鏡は、枠体の回動と共に投射レンズの光軸回りに回動し、光軸に対して垂直をなすいずれかの方向に画像を反射する。
【００１１】
表示デバイスが固定された状態で、反射鏡が回動した場合、反射鏡の位置によってスクリーンに投射された画像の向きが変化する。特許文献２に記載のプロジェクタにおいては、画像の向きが変わらないようにするため、反射鏡が回動した際、表示デバイスを反射鏡の回動量と同一の回動量だけ回動させている。
【先行技術文献】
【特許文献】
【００１２】
【特許文献１】特開２００９−４２３７１号公報
【特許文献２】特開２００２−９０８７９号公報
【発明の概要】
【発明が解決しようとする課題】
【００１３】
しかしながら、特許文献２に記載のプロジェクタは、枠体が必要であるため、枠体を配置する場所が投射レンズの周りに必要になり、プロジェクタが大型になるという問題がある。また、表示デバイスを回動させる回動機構が必要であるため、プロジェクタの構成が複雑になるという問題がある。
【００１４】
本発明は斯かる事情に鑑みてなされたものであり、その目的とするところは、簡単な構成で投射方向を変更することができるプロジェクタを提供することにある。
【課題を解決するための手段】
【００１５】
本発明に係るプロジェクタは、画像を投射するために箱体に設けられた投射レンズと、該投射レンズを遮蔽する遮蔽位置及び露出させる露出位置の間を移動可能なカバーとを備えるプロジェクタにおいて、前記カバーは、前記遮蔽位置にある場合に前記投射レンズに対向する開口と、該開口に前記箱体の内外方向への回動を可能に配され、投射された画像を反射する反射鏡とを有することを特徴とする。
【００１６】
本発明にあっては、箱体に設けられた投射レンズを遮蔽する遮蔽位置及び露出させる露出位置の間を移動可能なカバーに開口と反射鏡とが設けられている。開口は、カバーが遮蔽位置にある場合に投射レンズに対向する。反射鏡は、開口に配され、箱体の内外方向に回動可能であり、投射レンズから投射された画像を反射して投射方向を変更する。
【００１７】
カバーを備えるプロジェクタは既に存在しており、既存のプロジェクタが備えるカバーに開口と反射鏡とを設けているだけなので、既存のプロジェクタと大きさは変わらず、構成が簡単である。また、カバーを改良しているだけなので、製造費用が安価である。更に、投射方向を光源によって熱せられた空気を排気する方向に一致させることによって、視聴者に熱風を当てず、視聴者を不快にさせない。
【００１８】
本発明に係るプロジェクタは、前記カバーは、更に、前記開口の周縁間に渡され、前記反射鏡を枢支する回動軸を有することを特徴とする。
【００１９】
本発明にあっては、回動軸は、開口の周縁間に渡され、反射鏡を枢支するので、反射鏡は回動軸の軸回りに回動され、種々の方向に画像を投射することができる。
【００２０】
本発明に係るプロジェクタは、前記カバーは、前記回動軸を複数有し、前記反射鏡は、複数の前記回動軸夫々に着脱可能及び回動可能に取付けられる複数の取付部を有することを特徴とする。
【００２１】
本発明にあっては、開口に複数の回動軸が設けてあり、反射鏡は回動軸に着脱可能及び回動可能に取付けられる複数の取付部を有する。複数の回動軸中の一の回動軸に、対応する取付部を取付けることで、反射鏡は、一の回動軸回りに回動され、種々の方向に画像を投射する。また、他の回動軸に、対応する取付部を取り付けることで、反射鏡は、他の回動軸回りに回動され、種々の方向に画像を投射する。複数の回動軸が設けられることで、より多くの方向に画像を投射することができる。
【００２２】
本発明に係るプロジェクタは、前記取付部は、前記反射鏡の周縁部に突設され、前記反射鏡を支持する支持柱部と、円環の周方向の一部を切除した形状をなし、前記円環の軸方向が前記反射鏡と平行をなすように前記支持柱部の先端に設けられ、前記回動軸に嵌合する嵌合部とを有することを特徴とする。
【００２３】
本発明にあっては、取付部は支持柱部と嵌合部とを有する。支持柱部は、反射鏡の周縁部に突設され、反射鏡を支持する。嵌合部は、円環の周方向の一部を切除した形状をなし、支持柱部の先端に設けられる。円環の軸方向は反射鏡と平行している。嵌合部は、円環の一部を切除した形状であり、切除部分を利用して回動軸に着脱することができ、回動軸に嵌合した状態では、回動軸の軸回りに回動することができる。
【００２４】
本発明に係るプロジェクタは、前記嵌合部の内周面に設けられた少なくとも１つの突起と、前記回動軸における前記嵌合部が嵌合する周面に周設され、前記突起と係合する複数の凹部とを有することを特徴とする。
【００２５】
本発明にあっては、嵌合部の内周面に少なくとも１つの突起が設けられており、嵌合部が嵌合する回動軸の周面に、複数の凹部が周設されている。このため、回動する反射鏡を突起と凹部とが係合する位置で位置決めすることができる。従って、画像が投射されている間、反射鏡の位置がずれにくく、画像が乱れにくい。
【００２６】
本発明に係るプロジェクタは、前記開口及び反射鏡は矩形状をなし、前記カバーは前記回動軸を２つ有し、前記回動軸は、共に前記開口の短手方向又は長手方向に渡されていることを特徴とする。
【００２７】
本発明にあっては、開口及び反射鏡が矩形状をなし、開口の短手方向又は長手方向に回動軸が２つ渡されている。回動軸が短手方向に渡されている場合、投射方向を長手方向の一方向にも他方向にも変更することができる。同様に、回動軸が長手方向に渡されている場合、投射方向を短手方向の一方向にも他方向にも変更することができる。
【００２８】
本発明に係るプロジェクタは、前記開口が開放されているか否かを検出する検出部と、該検出部が開放されていると検出した場合に、前記投射レンズから投射される画像を鏡像反転する反転部とを備えることを特徴とする。
【００２９】
本発明にあっては、検出部は、反射鏡が回動され、開口が開放しているか否かを検出する。反転部は、検出部により開口の開放が検出された場合、投射レンズから投射される画像を鏡像反転する。
【００３０】
反射鏡によって反射された画像は鏡像反転するので、反射鏡を用いて画像を投射する場合には、予め投射する画像を鏡像反転しておく必要がある。検出部が開口の開放を検出した場合に、反転部が投射レンズから投射される画像を鏡像反転することによって、正しく画像が投射される。
【００３１】
本発明に係るプロジェクタは、前記反射鏡によって反射され、台形状に歪んだ画像を補正する操作を受け付ける受付部と、前記受付部が受け付けた操作を記憶する記憶部と、前記開口が開放されているか否かを検出する検出部と、前記検出部が開放されていると検出した場合に前記記憶部が記憶している操作を再現する再現部とを備えることを特徴とする。
【００３２】
本発明にあっては、受付部は、台形状に歪んだ画像を補正する操作をユーザから受け付ける。記憶部は、受付部がユーザから受け付けた補正の操作を記憶する。検出部は開口が開放されているか否かを検出する。再現部は、検出部が開口の開放を検出した場合に、記憶部に記憶されている操作を再現する。
【００３３】
これにより、ユーザが、反射鏡を用いて画像を投射すべく、反射鏡を回動させ、開口を開放した場合に、以前にユーザから受け付けた補正の操作が行われるので、ユーザが再び台形状に歪んだ画像を補正する手間が省かれる。
【発明の効果】
【００３４】
本発明によれば、投射レンズを遮蔽する遮蔽位置及び露出させる露出位置の間を移動可能なカバーに、開口と、開口に箱体の内外方向への回動を可能に配され、投射された画像を反射する反射鏡とが設けられているため、簡単な構成で投射方向を変更することができるプロジェクタを実現することができる。
【図面の簡単な説明】
【００３５】
【図１】本発明の実施の形態１に係るプロジェクタの内部構成図である。
【図２】カバーが露出位置にある場合におけるプロジェクタの斜視図である。
【図３】カバーが遮蔽位置にある場合におけるプロジェクタの斜視図である。
【図４】開口が開かれた場合におけるプロジェクタの斜視図である。
【図５】カバーの正面図である。
【図６】カバーに設けられた開口の正面図である。
【図７】カバーの平面断面図である。
【図８】カバーの側面断面図である。
【図９】蓋の開閉を説明する説明図である。
【図１０】嵌合部の拡大図である。
【図１１】回動軸の断面図である。
【図１２】カバーが露出位置にある場合におけるプロジェクタの使用状態を説明する説明図である。
【図１３】カバーが遮蔽位置にある場合におけるプロジェクタの使用状態を説明する説明図である。
【図１４】蓋の開閉角度に対するスクリーンの画像を説明する説明図である。
【図１５】プロジェクタの構成を示すブロック図である。
【図１６】制御部の動作手順を示すフローチャートである。
【図１７】本発明の実施の形態２に係るプロジェクタのカバーの正面図である。
【図１８】カバーに設けられた開口の正面図である。
【図１９】カバーの平面断面図である。
【図２０】カバーの側面断面図である。
【発明を実施するための形態】
【００３６】
（実施の形態１）
以下、本発明をその実施の形態を示す図面に基づいて詳述する。
図１は本発明の実施の形態１に係るプロジェクタの内部構成図、図２はカバーが露出位置にある場合におけるプロジェクタの斜視図、図３はカバーが遮蔽位置にある場合におけるプロジェクタの斜視図である。
【００３７】
プロジェクタ１は直方体状の箱体１０を備えている。箱体１０の一面には短手方向に開放された凹所１１が一短辺寄りに設けられている。凹所１１の中央部には、円筒状の投射レンズ２が箱体１０の外部に一側を突出させて固定されている。投射レンズ２の突出長は凹所１１の凹みよりも短くしてある。
【００３８】
なお、以下の説明においては、箱体１０における投射レンズ２の突出側を前、反対側を後とし、箱体１０の前面の長手方向を左右方向、短手方向を上下方向とする。
【００３９】
カバー３は、断面がＵ字状をなし、箱体１０の前面に嵌合されている。カバー３は箱体１０の前面に沿って左右方向に移動可能であり、投射レンズ２を図２に示すように露出し、図３に示すように遮蔽する。投射レンズ２を露出させているカバー３の位置を露出位置、遮蔽しているカバー３の位置を遮蔽位置とする。カバー３は、前側から見て矩形状をなし、遮蔽位置にある場合に凹所１１の全体を覆う。
【００４０】
箱体１０の内部には、表示デバイス１２、ミラー１３、及び光源１４が収納されている。表示デバイス１２及びミラー１３は、図１に示すように、投射レンズ２の光軸方向に沿って、投射レンズ２の後側に順に設置されている。光源１４は、プロジェクタ１の前側から見て、ミラー１３の左側に設置されている。
【００４１】
光源１４は画像を投射するための光をミラー１３に向けて出射する。ミラー１３は光源１４からの光を表示デバイス１２に向けて反射する。表示デバイス１２は、表面に画像を形成し、ミラー１３で反射した光を透過させる。表示デバイス１２を透過した光は投射レンズ２を通じて箱体１０の外部に投射される。
【００４２】
箱体１０の右側面及び左側面夫々に吸気口１５及び排気口１６が設けられている。吸気口１５の内側に送風機４ａが、排気口１６の内側に送風機４ｂが設置されている。送風機４ａは、吸気口１５から箱体１０の外部の空気を吸気し、光源１４に風を送り、光源１４を空冷する。送風機４ｂは、光源１４によって熱せられた空気を排気口１６から排気する。
【００４３】
図４は、開口が開かれた場合におけるプロジェクタ１の斜視図である。図４に示すプロジェクタ１では、カバー３は遮蔽位置にある。カバー３の前面には矩形状の開口３１が設けられている。開口３１には、開口３１を開閉可能に支持された矩形状の蓋３２が配置されている。開口３１及び蓋３２の大きさは略同じである。
本発明の特徴は、カバー３の構成にあり、以下詳細に説明する。
【００４４】
図５はカバー３の正面図である。カバー３には、前述したように、蓋３２が設けられている。蓋３２の前面には、把持部３３，３３が、左辺及び右辺夫々の中央部に設けられている。把持部３３は、蓋３２を開ける際にユーザが指を引掛ける取っ手である。
【００４５】
図６はカバー３に設けられた開口３１の正面図である。開口３１には円柱状をなす回動軸３４，３４が、開口３１の左辺及び右辺の近傍に上下方向に渡すように設けられている。
【００４６】
図７はカバー３の平面断面図である。蓋３２の後面において、矩形状をなす反射鏡３６が中央部に設けられており、取付部３５が２つずつ反射鏡３６の左辺及び右辺夫々の近傍に設けられている。
【００４７】
取付部３５は支持柱部３５１と嵌合部３５２とによって構成される。支持柱部３５１は蓋３２の後面に立設されている。嵌合部３５２は、円環の周方向の一部を切除した形状をなしている。嵌合部３５２は、円環の軸方向が反射鏡３６と平行をなすように支持柱部３５１の先端に固設されている。
【００４８】
嵌合部３５２において、切除部分は、中心に対して、支持柱部３５１との境界面の反対側に位置する。嵌合部３５２の内径は回動軸３４の外径と略同じである。嵌合部３５２が回動軸３４に嵌合することによって、蓋３２が回動軸３４に取付けられている。
【００４９】
図８はカバー３の側面断面図である。２つの取付部３５，３５が１つの回動軸３４に取付けられている。
なお、１つの回動軸３４に対して取付けられる取付部３５の数は２つに限定されない。取付部３５の数は１つであってもよいし、３つ以上であってもよい。また、同数の取付部３５が回動軸３４，３４夫々に取付けられる必要はない。
【００５０】
図９は蓋３２の開閉を説明する説明図である。図９において、破線部分は蓋３２が閉められた状態を示し、実線部分は蓋３２が開けられた状態を示している。
【００５１】
蓋３２が閉められている場合、全ての取付部３５，３５，３５，３５が回動軸３４，３４に取付けられている。ユーザは、蓋３２を開ける場合、蓋３２の前面にある一方の把持部３３を引っ張ることによって、把持部３３と同じ側にある取付部３５，３５を回動軸３４から外し、蓋３２を他側の回動軸３４の軸回りに回動させる。
【００５２】
図１０は嵌合部３５２の拡大図である。嵌合部３５２の内周面に、周方向に等配をなして複数の突起３８，３８，・・・が並設されている。複数の突起３８，３８，・・・は、嵌合部３５２の中心に対して所定角（例えば１５度）ごとに並設されている。
【００５３】
図１１は回動軸３４の断面図である。回動軸３４の外周面に、複数の凹部３９，３９，・・・が等配をなして周設されている。複数の凹部３９，３９，・・・は、回動軸３４の軸心に対して突起３８と同じ所定角ごとに周設されている。
【００５４】
蓋３２は複数の突起３８，３８，・・・と複数の凹部３９，３９，・・・とが係合する位置で位置決めされる。
なお、突起３８は、少なくとも１つ設けられていればよく、凹部３９は２つ以上設けられていればよい。従って、突起３８及び凹部３９の数は限定されない。
【００５５】
また、蓋３２の位置決めは他の構成によっても実現可能である。例えば、嵌合部３５２に中心に向けて螺子孔を設け、該螺子孔に通した螺子を締めることによって、回動軸３４を螺子に対向する嵌合部３５２の内周面に押し当て、嵌合部３５２が回動軸３４を回動できなくして蓋３２を位置決めしてもよい。この場合、蓋３２を回動する際、螺子を緩める。
【００５６】
図１２は、カバー３が露出位置にある場合におけるプロジェクタ１の使用状態を説明する説明図である。プロジェクタ１の前方向にスクリーン５が配置されている。スクリーン５には、画像がプロジェクタ１から投射され、投射された画像が表示される。カバー３が露出位置にある状態でプロジェクタ１を使用する場合、図１２に示すように、プロジェクタ１は投射レンズ２の光軸がスクリーン５に対して垂直をなすように配置される。
【００５７】
カバー３が露出位置にある状態でプロジェクタ１を使用した場合、スクリーン５に投射された画像を見て、プレゼンテーション等を聴く視聴者は、投射レンズ２が設けられた前面の近傍を除くプロジェクタ１の周辺におり、箱体１０の左側面に設けられた排気口１６の近傍にいる可能性がある。排気口１６の近傍に視聴者がいる場合、排気口１６からの熱風が視聴者に当たり、視聴者を不快にさせる虞がある。
【００５８】
図１３は、カバー３が遮蔽位置にある場合におけるプロジェクタ１の使用状態を説明する説明図である。カバー３が遮蔽位置にある状態でプロジェクタ１を使用する場合、蓋３２を開けて、所定の開閉角度で位置決めする。図１３では、スクリーン５がプロジェクタ１の左側に配置されているので、左側の取付部３５，３５を同じ側の回動軸３４から外し、蓋３２を右側の回動軸３４の軸回りに回動させ、箱体１０の前面に対して４５度をなす開閉角度で位置決めしている。
【００５９】
投射レンズ２から投射された画像は、蓋３２の後面に設けられた反射鏡３６によって左方向に反射され、スクリーン５に投射される。この場合、画像の投射方向と箱体１０の左側面に設けられた排気口１６の排気方向とが一致するため、視聴者が排気口１６の近傍にいることはなく、排気された熱風が視聴者に当たることはない。
【００６０】
なお、蓋３２の開閉角度を４５度以上にすることによって左斜め前方向にも画像を投射することができる。更に、右側の取付部３５，３５を同じ側の回動軸３４から外し、左側の回動軸３４の軸回りに蓋３２を回動させることによって、プロジェクタ１の右方向及び右斜め前方向にも画像を投射することもできる。
【００６１】
また、カバー３が遮蔽位置にある状態で蓋３２が開けられている場合、開口３１と投射レンズ２とは対向している。カバー３が遮蔽位置にある状態でプロジェクタ１を使用する場合、スクリーン５に取付部３５の影が映らないようにするため、取付部３５の大きさを小さくし、取付部３５が蓋３２の後面の周縁に近くに設置されるように工夫されている。
【００６２】
図１４は、蓋３２の開閉角度に対するスクリーン５の画像を説明する説明図である。図１４Ａは、カバー３が遮蔽位置にある場合におけるプロジェクタ１の使用状態を示している。スクリーン５は、プロジェクタ１の左側に配置されている。蓋３２は、後面の反射鏡３６を用いてスクリーン５に画像を投射すべく、カバー３の右側にある回動軸３４の軸回りに回動して開けられ、一定の開閉角度で位置決めされている。
【００６３】
破線で示された蓋３２は箱体１０の前面と４５度をなしており、実線で示された蓋３２は４５度よりも大きな角度（例えば５０度）をなしている。
【００６４】
図１４Ｂは、図１４Ａにおいて実線で示された蓋３２の後面に設けられた反射鏡３６によって反射され、スクリーン５に投射された画像を示している。蓋３２の開閉角度が４５度を超えた場合、投射された画像は台形状に歪む。
【００６５】
また、反射鏡３６を用いて画像を投射した場合、スクリーン５におけるプロジェクタ１の設置面に平行な方向の画像成分が鏡像反転する。
プロジェクタ１は、図１４Ｂに示すように台形状に歪んだ画像を補正する機能及び投射レンズ２から投射する画像を予め鏡像反転する機能を備えている。
【００６６】
以下に、プロジェクタ１によって実行される画像補正及び鏡像反転の処理を説明する。
図１５は、プロジェクタ１の構成を示すブロック図である。プロジェクタ１は、制御部７０、検出部７１、反転部７２、受付部７３、記憶部７４、及び再現部７５を備えている。制御部７０は、検出部７１、反転部７２、受付部７３、記憶部７４、及び再現部７５に夫々接続されている。
【００６７】
制御部７０は、ＣＰＵと内蔵ＲＯＭとによって構成され、ＣＰＵを用いて、内蔵ＲＯＭに記憶されている制御プログラムを実行することによって、検出部７１、反転部７２、受付部７３、記憶部７４、及び再現部７５の動作を制御する。
【００６８】
検出部７１は、蓋３２が回動され、開口３１が開放しているか否かを検出する。
反転部７２は、表示デバイス１２（図１参照）の表面に形成される画像の左右方向の画像成分を反転させることによって、投射レンズ２から投射された画像を鏡像反転する。
【００６９】
受付部７３は、図１４Ａに示す箱体１０の上面に設けられた操作部７を介して、ユーザから画像を補正するか否かの決定、補正が完了したか否かの決定、及びユーザによる補正操作を受け付ける。
なお、操作部７は、箱体１０の上面ではなく、リモートコントローラに設けられてもよい。
【００７０】
記憶部７４は、ユーザによって行われた補正操作を記憶する。受付部７３がユーザから補正操作を受け付けた場合、投射レンズ２から投射された画像を補正するための補正値が変わる。補正操作を記憶するとは、補正操作に係る補正値を記憶することを意味する。
再現部７５は、記憶部７４に記憶されている補正値に基づいて補正操作を再現する。
【００７１】
図１６は制御部７０の動作手順を示すフローチャートである。まず、制御部７０は、検出部７１に指示して、開口３１が開放しているか否かを検出させる（ステップＳ１）。制御部７０は、開口３１の開放を検出しなかった場合（ステップＳ１：ＮＯ）、反射鏡３６によって画像が反射されていないとみなして制御を終了する。
【００７２】
制御部７０は、開口３１の開放を検出した場合（ステップＳ１：ＹＥＳ）、反転部７２に指示して、投射レンズ２から投射される画像を鏡像反転させる（ステップＳ２）。
【００７３】
次に、制御部７０は、再現部７５に指示して、記憶部７４が記憶している補正操作を再現させる（ステップＳ３）。
なお、制御部７０は、記憶部７４に補正操作が記憶されていない場合、再現部７５に補正操作を再現させず、後述のステップＳ４を実行する。
【００７４】
ステップＳ３の後、制御部７０は、受付部７３に指示して、ステップＳ３で再現部７５によって再現された補正操作に加えて、更に補正操作を行うか否かをユーザから受け付けさせる（ステップＳ４）。更に補正操作を行うか否かを受け付ける旨のメッセージは、例えば、プロジェクタ１から投射された画像に表示される。ユーザは、操作部７を操作することによって、更に補正操作を行うか否かを決定する。
【００７５】
制御部７０は、更に補正操作を行わない決定をユーザから受け付けた場合（ステップＳ４：ＮＯ）、制御を終了する。
制御部７０は、更に補正操作を行う決定をユーザから受け付けた場合（ステップＳ４：ＹＥＳ）、受付部７３に指示して、ユーザから補正操作を受け付けさせる（ステップＳ５）。ユーザは、操作部７を操作してスクリーン５に投射された画像を見ながら、台形状に歪んだ画像を補正する。
【００７６】
次に、制御部７０は、受付部７３に指示して、画像の補正が完了した否かを、操作部７を介してユーザから受け付けさせる（ステップＳ６）。補正が完了したか否かを受け付ける旨のメッセージは、例えばプロジェクタ１から投射された画像に表示される。ユーザは、操作部７を操作することによって、画像の補正が完了したか否かをプロジェクタ１に通知する。
【００７７】
制御部７０は、画像の補正が完了していない決定を受付部７３が受け付けた場合（ステップＳ６：ＮＯ）、ステップＳ５に戻り、画像の補正が完了するまで、受付部７３に補正操作を受け付けさせる。
【００７８】
制御部７０は、画像の補正が完了した決定を受付部７３が受け付けた場合（ステップＳ６：ＹＥＳ）、記憶部７４に指示して、ステップＳ５において受付部７３がユーザから受け付けた補正操作を記憶させる（ステップＳ７）。なお、記憶部７４は、補正操作を記憶する前に、記憶されている補正操作に係る補正値を予め消去している。
制御部７０は、ステップＳ７の後、制御を終了する。
【００７９】
実施の形態１に係るプロジェクタ１にあっては、投射レンズを遮蔽する遮蔽位置及び露出させる露出位置の間を移動可能なカバーを備える既存のプロジェクタに開口と反射鏡を有する蓋とを設けた構成になっている。このため、プロジェクタ１の大きさは既存のプロジェクタと変わらず、構成が簡単である。また、プロジェクタ１は、既存のプロジェクタにおいて、カバーが改良されているだけであるため、製造費用が安価である。
【００８０】
実施の形態１に係るプロジェクタ１にあっては、回動軸３４は、開口３１を上下方向に渡され、反射鏡３６を有する蓋３２を枢支するので、反射鏡３６は、回動軸３４の軸回りに回動され、種々の方向に画像を投射することができる。
【００８１】
実施の形態１に係るプロジェクタ１にあっては、開口３１に２つの回動軸３４，３４が設けられており、反射鏡３６の周縁部に回動軸３４，３４に着脱及び回動可能に取付けられた取付部３５，３５，３５，３５が設けられている。従って、反射鏡３６は、回動軸３４，３４夫々の軸回りに回動するため、左方向、左斜め前方向、右斜め前方向、及び右方向に画像を投射することができる。
【００８２】
実施の形態１に係るプロジェクタ１にあっては、嵌合部３５２は、円環の周方向の一部を切除した形状をなすため、切除部分を利用して回動軸３４に着脱することができ、回動軸３４に嵌合した状態で、回動軸３４の軸回りに回動することができる。
【００８３】
実施の形態１に係るプロジェクタ１にあっては、反射鏡３６は、複数の突起３８，３８，・・・と複数の凹部３９，３９，・・・とが係合する位置で位置決めすることができる。このため、画像が投射されている間、反射鏡３６の位置がずれにくく、画像が乱れにくい。
【００８４】
実施の形態１に係るプロジェクタ１にあっては、検出部７１によって開口３１が開放されているか否かが検出され、開口３１の開放が検出された場合に、反転部７２は投射レンズ２から投射される画像を鏡像反転する。これにより、反射鏡３６によって反射された画像はスクリーン５に正しく表示される。
【００８５】
実施の形態１に係るプロジェクタ１にあっては、検出部７１によって開口３１の開放が検出された場合に、記憶部７４に記憶されている補正操作が行われる。これにより、ユーザが、反射鏡３６を用いて画像を投射すべく、蓋３２を回動させ、開口３１を開放した場合に、以前にユーザが行った補正操作が行われるので、再び台形状に歪んだ画像を補正する手間が省かれる。
【００８６】
（実施の形態２）
図１７は本発明の実施の形態２に係るプロジェクタのカバー３の正面図である。
実施の形態２に係るプロジェクタは、実施の形態１に係るプロジェクタ１と比較して、カバー３の構成が異なる。
以下、実施の形態１のプロジェクタ１と異なる部分を主に説明し、他の実施の形態１に対応する部分は同じ符号を付して説明を省略する。
【００８７】
図１７に示すように、蓋３２の前面には、把持部３３，３３の他に、把持部８３，８３が、上辺及び下辺夫々の中央部に設けられている。把持部８３は、蓋３２を開ける際にユーザが指を引掛ける取っ手である。
【００８８】
図１８はカバー３に設けられた開口３１の正面図である。開口３１には、回動軸３４，３４の他に円柱状の回動軸８４，８４が設けられている。回動軸８４，８４夫々は、開口３１の上辺及び下辺の近傍に左右方向に渡すように、回動軸３４，３４の後側に設けられている。
【００８９】
図１９はカバー３の平面断面図である。蓋３２の後面において、取付部３５，３５，３５，３５及び反射鏡３６の他に、取付部８５が２つずつ反射鏡３６の上辺及び下辺夫々の近傍に設けられている。２つの取付部８５，８５は１つの回動軸８４に取付けられている。
【００９０】
図２０はカバー３の側面断面図である。取付部８５は支持柱部８５１と嵌合部８５２とによって構成される。支持柱部８５１は蓋３２の後面に立設されている。嵌合部８５２は、円環の周方向の一部を切除した形状をなし、円環の軸方向が反射鏡３６と平行をなすように支持柱部８５１の先端に固設されている。支持柱部８５１の前後方向の長さは支持柱部３５１よりも長い。
【００９１】
嵌合部８５２において、切除部分は、中心に対して、支持柱部８５１との境界面の反対側に位置する。嵌合部８５２の内径は回動軸８４の外径と略同じである。嵌合部８５２が回動軸８４に嵌合することによって、蓋３２が回動軸８４に取付けられる。
【００９２】
実施の形態２に係るプロジェクタにあっては、回動軸３４，３４，８４，８４が開口３１に、取付部３５，３５，３５，３５，８５，８５，８５，８５が反射鏡３６の周縁部に設けられている。従って、反射鏡３６は、回動軸３４，３４，８４，８４夫々の軸回りに回動し、左方向、左斜め前方向、右斜め前方向、及び右方向の他に上方向、前方の斜め上方向、前方の斜め下方向、及び下方向に画像を投射することができる。
【００９３】
なお、蓋３２を回動する構成は回動軸３４，８４を設ける構成に限定されない。例えば、開口３１の縁部分にヒンジを設けてもよい。また、回動軸３４，８４の軸方向は開口３１の左右方向又は上下方向に限定されない。例えば、開口３１の短辺から長辺に渡る回動軸を設けてもよい。
【００９４】
また、嵌合部３５２，８５２の構成は円環の周方向の一部を切除した形状に限定されない。嵌合部３５２，８５２は回動軸３４，８４に着脱可能及び回動可能に取付けられる構成であればよい。また、反射鏡３６を有する蓋３２を枢支する回動軸は２つ又は４つに限定されない。１つ、３つ、又は５つ以上の回動軸が設けられてもよい。
【符号の説明】
【００９５】
１  プロジェクタ
１０  箱体
２  投射レンズ
３  カバー
３１  開口
３２  蓋
３４，８４  回動軸
３５，８５  取付部
３５１，８５１  支持柱部
３５２，８５２  嵌合部
３６  反射鏡
３８  突起
３９  凹部
７１  検出部
７２  反転部
７３  受付部
７４  記憶部
７５  再現部
【図１】
2012037674.tif 000003
【図２】
2012037674.tif 000004
【図３】
2012037674.tif 000005
【図４】
2012037674.tif 000006
【図５】
2012037674.tif 000007
【図６】
2012037674.tif 000008
【図７】
2012037674.tif 000009
【図８】
2012037674.tif 000010
【図９】
2012037674.tif 000011
【図１０】
2012037674.tif 000012
【図１１】
2012037674.tif 000013
【図１２】
2012037674.tif 000014
【図１３】
2012037674.tif 000015
【図１４】
2012037674.tif 000016
【図１５】
2012037674.tif 000017
【図１６】
2012037674.tif 000018
【図１７】
2012037674.tif 000019
【図１８】
2012037674.tif 000020
【図１９】
2012037674.tif 000021
【図２０】
2012037674.tif 000022